(57)【要約】【課題】  通常にスタンドアロンのアプリケーションがデバイス選択して、プリンタのプロパティで設定するのと同等レベルのきめ細かさで印刷体裁の設定を行なう。【解決手段】  ユーザ端末で店舗のすべての印刷能力を利用できるようにその情報を開示する手段として、店舗で利用可能なプリンタ装置からドライバを経由してデバイス能力を取得し、かつそのデバイスに装着されているデバイス構成情報を取得する手段と、オペレータ工程能力を登録させる手段を設け、それらすべての情報をプリントサービスサーバにあらかじめ登録させる。【選択図】  図１
2005173687.tif 000002
【特許請求の範囲】
【請求項１】
少なくともプリントすべき電子文書の指定を含むプリントの依頼を受け付け、該依頼に基づいてプリンタを提供し、該プリンタによって前記電子文書をプリントするサービスを提供するプリントサービスシステムであって、
前記プリントの依頼では、店舗において印刷可能な設定項目を表示する手段を有し、
前記設定項目は、店舗が印刷可能なプリント装置からデバイス情報を取得する手段および店舗のオペレータ工程能力の登録手段から得た情報に依存する。
また、これらのデバイス情報、オペレータ工程能力をプリントサービスサーバに登録する手段を有し、
ユーザ端末にこれらの情報をダウンロードすることにより印刷体裁設定の表示を可能とする。
【請求項２】
前記プリント依頼する際には印刷体裁を設定する手段を有し、その設定手段に準じて設定することが可能なユーザ端末であり、
印刷体裁の設定したデータをもとにしてプリントサービスサーバは、印刷可能な店舗デバイスをディスカバリする手段で、検索したデバイスをジョブチケットにセットする手段でセットし、
この情報を店舗にジョブ投入するプリントサービスシステム。
【請求項３】
前記ジョブ投入された店舗は、店舗側の分配基準に従って適応するプリント装置に送るディストリビュータ手段を有し、この手段により振り分けられたプリント装置でユーザのジョブを印刷するプリントサービスシステム。
【請求項４】
デバイス情報やオペレータ工程能力をプリントサービスサーバに登録する手段では、
複数のデバイス情報とオペレータ工程能力をまとめて店舗印刷能力を算出する手段を有し、
デバイス情報、オペレータ工程能力と店舗印刷能力は、店舗情報管理装置に登録可能なプリントサービスシステム。
【請求項５】
印刷体裁設定手段では、印刷設定項目に優先順位をつけて、その優先順位の高い項目の設定内容につれて、下位の項目値を制御する依存関係のコントロールを有する。
【発明の詳細な説明】
【技術分野】
【０００１】
プリンタ等の出力装置を備えたプリントサービスにおいて、ユーザの依頼に応じてプリントサービスを行なうプリントサービスシステムに関する。
【背景技術】
【０００２】
ユーザ（利用者）がプリントサービス店舗のプリンタを利用する場合、例えば、ユーザがプリンタ等の出力装置を備えたプリントサービス店舗に文書や画像を記録した電子データを持ち込んでプリントしたり、パーソナルコンピュータ（ＰＣ）等の端末を持ち込み、ケーブルで出力装置と接続することにより、端末に格納された電子文書をプリントする形態がある。また、オフィスや自宅の端末からＩＳＤＮ回線等のネットワークを介してサーバに接続し、電子文書を端末からサーバを介していずれかのプリントサービス店舗まで送信することによりプリントする形態もある。（特許文献１、特許文献２、特許文献３）
【特許文献１】特開平１１−００７３６５号公報
【特許文献２】特開２００２−１１３９７１号公報
【特許文献３】特開２００２−１１６８９０号公報
【発明の開示】
【発明が解決しようとする課題】
【０００３】
しかしながら、印刷拠点において複雑な印刷体裁設定を行なう方法では、ユーザの設定した印刷体裁が複雑な場合、１デバイスだけでなく、複数のデバイスとオペレータの処理工程を有する場合がある。この課題の解決方法として特開２００２−１１３９７１が開示されている。印刷拠点側の印刷フローの管理方法を記述したもので、複数デバイスから出力された印刷物をスタックし、最終的にオペレータ処理工程を経て、１つの印刷物を仕上げるアーキテクチャに関する特許である。ただし、印刷拠点のオペレータ処理工程を、ユーザ端末にどのように反映し、またその処理がデバイスに依存する場合に、その依存関係の解決方法を明確に指し示していない。本特許は、オペレータの処理工程を印刷拠点能力の一部としてユーザ端末に表示し、選択させる手段を提供し、それを印刷拠点側でデバイスとオペレータ工程を自動的に振り分ける方法を記述したものである。また、自動振り分けに関しては、特開２００２−１１６８９０で記述されてはいるが、クライアントとサーバのシステム構成であり、本特許のクライアント、プリントサーバ、印刷拠点というインターネットを考慮したシステム構成ではない。
【課題を解決するための手段】
【０００４】
本発明では、ユーザ端末で店舗のすべての印刷能力を利用できるようにその情報を開示する手段として、店舗で利用可能なプリンタ装置からドライバを経由してデバイス能力を取得し、かつそのデバイスに装着されているデバイス構成情報を取得する手段と、オペレータ工程能力を登録させる手段を設け、それらすべての情報をプリントサービスサーバにあらかじめ登録させる方法を取っている。従って、通常にスタンドアロンのアプリケーションがデバイス選択して、プリンタのプロパティで設定するのと同等レベルのきめ細かさで印刷体裁の設定を行なうことができる。また、ユーザ端末では、プリント装置を選択させることは、インターネットの世界では意味が無いことから、ユーザの設定した印刷体裁の設定値から、プリントサービスサーバがデバイスのディスカバリを行なう手段をサーバ側に設置した。これにより、ユーザは店舗で印刷可能なデバイス能力の最大限の設定を、デバイスを意識せずに行なうことができるようになった。
【０００５】
また、店舗では複数のプリンタ装置が設置されているのに対応させるため、およびオペレータ処理工程に自動的に振り分けるために、店舗にジョブのディストリビュータ手段を設けた。この手段により、店舗の想定した基準でユーザの要求するジョブをプリント装置に分配し、プリント装置で対応できない工程をオペレータ処理工程に振り分けるための情報を表示することが可能になった。
【０００６】
本発明は、複数の店舗がインターネットに接続されていることを想定している。そのため、店舗単位のプリンタ装置群を各店舗に１個割り当てるグループIDの元で管理する手段を設けている。
【発明の効果】
【０００７】
以上説明したように、ユーザ端末からは、デバイスを指定することなく、期待する店舗のプリント装置に意図した印刷設定を行なうことができる。店舗側においては、ディストリビュータの基準を店舗の意図するように設定することで、ライニングコストを下げたり、負荷分散を行なったりフレキシブルに対応することが可能となる。
【０００８】
オペレータ工程能力をデバイス能力と同様にハンドリングすることで、店舗側において、デバイスとオペレータ工程の自動振り分けを実現することが可能となり、ミスのない効率的な印刷管理を行なうことができる。
【０００９】
本発明は、複数店舗を想定している。それらの店舗情報をプリントサービスサーバに共有しておくことで、ユーザ端末からシームレスに店舗の選択を可能とし、その店舗で印刷可能なプリント装置群を店舗グループIDで統一して管理することで、プリントサービスサーバでデバイスのディスカバリを可能とするものである。
【発明を実施するための最良の形態】
【００１０】
以下、図面を用いて本発明の実施例について説明する。
【００１１】
図１、２は、本実施例におけるプリントサービスシステム構成図の例である。
【００１２】
１００は、プリントサービスサーバであり、プリントサービス全体の運用管理、サービス管理を行っている。
【００１３】
ユーザへの課金処理、サービス店舗のデバイス情報のハンドリングに関しても、原則として、ここで管理される。
【００１４】
１０１は、ユーザ端末であり、本プリントサービスシステムへアクセスするためのツールである。
【００１５】
１０２は、プリントサービス店舗であり、ユーザの指示に基づくプリントサービスを行なう拠点となっている。
【００１６】
以下に、各図における、運用形態について説明する。
【００１７】
図１は、同一ネットワーク上に、ユーザ端末（例えば一般的なパーソナルコンピュータ）、プリントサービス店舗、プリントサービスサーバが配置された運用形態を示す。具体的には、それぞれが、インターネットに接続されて、ユーザがプリントサービスサーバにアクセスして、所定の文書印刷を所定のプリント店舗で行なえるシステム構成であり、その印刷能力情報のハンドリングはプリントサービスサーバで行なっている。
【００１８】
図２は、ユーザ端末が、近年利用が進んでいる情報端末としての機能を有する携帯電話の場合の例であり、基本的なサービス運用形態は、図１と同等である。
【００１９】
なお、プリントサービスサーバへのアクセス手段は、一般的なインターネットプロトコル（HTTP等）を中心に実装され、セキュリティ対策としても、ＳＳＬ（Secure Socket Layer）に代表される一般的な手段を用いてシステムは運用されるようになっている。
【００２０】
また、プリントサービス店舗システムとユーザ端末の接続手段に関しても、一般的なパラレル、シリアル接続手段により実装されている。
【００２１】
図３は、本実施例でのプリントサービスサーバの機能ブロックを示す。
【００２２】
４０１は、通信制御部であり、ユーザ端末１０１、プリントサービス店舗１０２等とのデータ通信処理を行なう。また、ここで、ユーザ認証等の処理を、認証情報管理装置４５１で管理されたデータを用いて行う。
【００２３】
４０２は、情報提供部であり、本サーバで管理されている各種データから要求されたデータを検索して要求元に返送すべきデータを生成する。特に本発明の関るデバイス情報は、店舗情報管理装置４５６から取得されて、ユーザ端末に提供する。
【００２４】
４０３は、ジョブ受付部であり、ユーザからのジョブデータ（主としてプリント要求）を受付け、ジョブ管理装置４５４において管理する。
【００２５】
なお、ユーザからアップロードされた文書もここで受付け、そのデータは、文書情報管理装置４５５において管理される。
【００２６】
４０４は、ジョブ配信部であり、ジョブ管理装置４５４で管理された未処理のジョブデータを、順次指定されたプリントサービス店舗へ転送する。
【００２７】
４０５は、店舗能力登録部であり、ここでは、プリントサービス店舗から送られてきたデバイス情報とオペレータ処理工程をまとめて、店舗のデバイス能力に加工し、デバイス能力と店舗能力を店舗情報管理装置４５６に保存する処理を行なう。
【００２８】
４０６は、デバイスディスカバリ部であり、ユーザ端末で設定された印刷体裁設定の内容を解析し、適応可能なデバイスを算出する処理を行なう。
【００２９】
４０７は、結果受付部であり、プリントサービス店舗で実行されたジョブの結果を受付け、その内容に応じてジョブ管理装置４５５のジョブ管理データを更新し、ログ情報管理装置４５３にログを記録する。
【００３０】
４０８は、料金算出部であり、ジョブ結果に対して請求すべき課金額を、各種課金条件を踏まえて算出処理処理を行なう。
【００３１】
続いて、本サーバにおいて運用、管理される各種データ管理装置について補足説明する。
【００３２】
４５１は、認証情報管理装置であり、各ユーザIDに対応した、パスワードのセキュリティを十分確保して管理すべきデータを管理する。
【００３３】
４５２は、料金体系管理装置であり、サービスに課せられる標準的な料金テーブル、使用実績に応じた適用がなされる各種課金処理サービスの算出基準となるユーザ課金管理属性基準テーブル、サービス稼動実績に応じて適用される契約店舗に対するロイヤリティ算出の基準となる契約店舗ロイヤリティ基準テーブル等が管理される。
【００３４】
４５３は、ログ情報管理装置であり、サービス単位に、だれから、どこへ、どんなジョブ発行し、その結果がどうであったか、等を逐次記録し、管理できるようになっている。
【００３５】
４５４は、ジョブ管理装置であり、ユーザから受付けたジョブをまずここで管理し、順次ジョブ処理するようになっている。
【００３６】
また、ジョブに対する優先度指定を設けて、ジョブ実行のスケジューリングを行なったり、時刻指定のジョブを受付けたり、後で再実行できるようにジョブデータを保管したりすることも可能になっている。
【００３７】
４５５は、文書情報管理装置であり、ユーザから依頼されて文書を登録・管理・検索等ができるようになっている。
【００３８】
４５６は、店舗情報管理装置であり、デバイス能力、デバイス構成情報、オペレータ処理工程能力、店舗デバイス能力などの店舗情報がここで管理される。
【００３９】
図４は、本実施例でのプリントサービス店舗システムの機能ブロック図である。
５０１は、通信制御部であり、ユーザ端末１０１、プリントサービスサーバ１００等とのデータ通信処理を行なう。
【００４０】
５０２は、印刷拠点能力提供部であり、本システムで管理されているデバイス能力、デバイス構成情報、オペレータ処理工程能力などを、プリントサービスサーバに返送すべきデータを生成する。
【００４１】
５０３は、ジョブ受付部であり、ユーザからのジョブデータ（主としてプリント要求）をプリントサービスサーバから受付け、ジョブ管理装置５５１において管理する。
【００４２】
５０４は、ジョブ処理部であり、ジョブ管理装置５５１で管理された未処理のジョブデータを、順次ディストリビュータ５０５へ転送しジョブを実行する。
【００４３】
ジョブを受け取ったディストリビュータ５０５は、分配基準に従ってプリント装置A５０７またはプリント装置B５０８に配信し、デバイスで制御不可能なオペレータ処理工程を表示する。
【００４４】
５０６は、結果通知部であり、実行されたジョブの結果をプリントサービスサーバに通知する。
【００４５】
続いて、システムにおいて運用、管理される各種データ管理装置について補足説明する。
【００４６】
５５１は、ジョブ管理装置であり、他から受付けたジョブをまずここで管理し、順次ジョブ処理するようになっている。
【００４７】
また、ジョブに対する優先度指定を設けて、ジョブ実行のスケジューリングを行なったり、時刻指定のジョブを受付けたり、後で再実行できるようにジョブデータを保管したりすることも可能になっている。
【００４８】
５５２は、印刷拠点能力管理装置であり、店舗に接続されているプリント装置のデバイス能力およびデバイス構成情報を取得し、オペレータ処理工程を登録したあと、この装置に保存される。そして、プリントサービスサーバへ登録要求があったときに、保存情報がサーバに通信制御部から送信される。
【００４９】
５５３は、ログ情報管理装置であり、システムで行なわれるサービスに関して、だれからの、どんなジョブを受付け、その結果がどうであったか、等を逐次記録し、管理できるようになっている。
【００５０】
図６、図７は、本実施例でのプリントサービスのシーケンス例である。
【００５１】
図６は、店舗デバイス能力のプリントサービスサーバへの登録のシーケンスを示しており、その基本的な流れを説明する。
【００５２】
S601で、店舗でプリント可能なデバイスからその能力を取得する。
【００５３】
S602で、当該デバイスのフィニシャ等の利用可能なデバイスの構成情報を取得する。
【００５４】
S603で、これら取得した情報は、一旦印刷拠点能力管理装置に保管される。
S604で、印刷拠点のオペレータ工程で処理される体裁設定能力を登録する。
【００５５】
S605で、オペレータ工程能力を印刷拠点能力管理装置に保管される。
【００５６】
S606で、プリントサービスサーバへ登録要求があった時に、保管された印刷拠点能力情報がサーバに転送される。
【００５７】
S607で、転送されたデバイス情報を受付ける。
【００５８】
S608で、デバイス情報が複数個存在するときは、それらの情報を店舗能力計算手順に従って、1店舗のデバイス能力にまとめたものを店舗デバイス能力として新たに作成される。
【００５９】
S609で、店舗から送信されたデバイス情報とサーバで計算された店舗デバイス能力は、店舗情報保管装置に登録される。
【００６０】
図７は、ユーザ端末からプリントサービスサーバにジョブを投入し、プリントサービスサーバが店舗のプリント装置に投入されたジョブの印刷依頼する一連の流れを示すシーケンス図である。その基本的な流れを説明する。
【００６１】
S701で、ユーザはユーザIDとパスワードを入力し、その情報を受け取ったサーバの認証処理で、当該ユーザが登録されているかをチェックする。登録されていれば当該ユーザのアクセス権を調べて、ユーザ端末で操作可能な機能の制限を設定する。
【００６２】
S703で印刷可能なユーザであれば、ユーザが印刷する文書を、まずサーバにアップロードする。当該文書は、S704で、サーバに一時保管される。この保管された文書に対して、以下の手順で印刷の指示を行なう。一時保管された文書を検索し、その文書の中から印刷を行なう方法でも良い。この場合は、S703の手順を省略することができる。
【００６３】
S705で、プリントサービスサーバに登録されている店舗の中から、ユーザが印刷依頼したい店舗を選択する。
【００６４】
S706で、選択された店舗の印刷能力情報を取得し、その能力をS70７で、ユーザ端末にダウンロードする。
【００６５】
S708で、印刷体裁設定するためのユーザ操作の画面が表示されるが、当該店舗で印刷可能な能力のみ設定することができる。
【００６６】
S709で、印刷体裁の設定が完了すれば、そのデータをサーバに送信する。
【００６７】
S710で、ユーザ端末から受け取ったデータは、S711で当該店舗が登録したプリント装置の中から印刷可能なデバイスを検索し、それらのデバイス名をジョブチケットにセットする。そして、S713で印刷にかかる費用を計算して、ユーザ端末に送信する。
【００６８】
S714で、ユーザはその料金を確認の後、この条件でよければ、ジョブの実行をサーバに対してサブミットする。
【００６９】
S716で、ジョブの実行要求を受付けたサーバは、ユーザからのジョブの実行を受付けたログをS717で記録し、店舗にジョブを発行する。
【００７０】
S718で、ジョブの実行を受付けた店舗は、S719のディストリビュータで、どのプリント装置を使用するかを分配基準に従って決定し、S720でプリント装置にジョブを投入する。またS719は、オペレータ工程に分配すべき処理を表示し、プリントアウトされた印刷物をオペレータ処理に割り振ることを指示する。
【００７１】
図７は、店舗印刷能力の登録手順を示すフローである。このフローを説明する。
【００７２】
S1101では、店舗で印刷可能なプリント装置のドライバからデバイス能力を取得する。
【００７３】
S1102では、当該プリント装置に何らかのフィニッシャが装着されている場合に、そのデバイス構成情報を取得する。
【００７４】
S1103では、これらの取得したデバイス情報を一旦印刷拠点管理装置に保管する。
【００７５】
S1104では、サーバに登録するデバイスのすべてに対して、これらのデバイス情報を取得したかをチェックし、まだ取得していないデバイスが存在する場合は、S1101に戻りデバイス情報を取得するフローを再開する。すべてのデバイスの情報を取得した後、S1105で、オペレータ工程能力を登録する。S1106で、登録された内容は前記と同様に、印刷拠点管理装置に保管される。そして、これらの印刷拠点能力をプリントサービスサーバに転送する。
【００７６】
図８は、店舗デバイス能力を登録する手順を示すフローであり、サーバ側の登録手段を説明する。
【００７７】
S1201で店舗からデバイス能力、構成情報およびオペレータ工程能力情報を受信したときに、S1202では、それらのデバイス情報オペレータ工程能力から店舗でプリント可能な最大の印刷能力を計算する。これを店舗印刷能力とする。
【００７８】
S1203では、店舗から受け取ったデバイス情報とオペレータ工程能力、そして上記で計算した店舗印刷能力を店舗情報管理装置４５６に保管する。
【００７９】
図９は、デバイス情報、オペレータ工程能力と店舗印刷能力を示す一例の要素をテーブルにまとめたものである。このテーブルについて説明する。
【００８０】
店舗Aは、グループID＝０００１として設定されていて、この店舗でプリント可能なデバイスは、当該グループIDに属する。デバイスA,デバイスBは、店舗から受け取った個々のデバイスのデバイス能力とデバイス構成情報を示している。デバイスIDは個々のデバイスに割り当てたユニークなコードである。このテーブルの〇印は、当該デバイスで利用可能な能力を示している。また、オペレータ工程能力をID=0000として情報を割り当てている。この能力は１店舗に対して１個の割り当てとなる。ここでは、くるみ製本と３２穴パンチの２つの工程をオペレータ工程能力として登録している。これらの能力とデバイス能力の依存関係を（１）で示している。（１）〇は、くるみ製本が指定されても、これらの能力はANDで指定すべき項目であることを示す。例えば、デバイスから製本で印刷された印刷物をまとめて、オペレータ処理工程でくるみ製本を施すというように。逆に３２穴パンチはこの指定がない。３２穴パンチを指定したときは２穴パンチとは排他的関係に有り、デバイスの２穴パンチはリセットされるべき事項として記述されている。そして、これらの能力のOR演算を行なったのが、店舗デバイス能力であり、ID=9999に割り振られる。このIDは、店舗能力として各グループについて必ず1個存在する。
【００８１】
図１０は、印刷処理の手順を示すユーザ端末側のフローである。
【００８２】
S1301で、ユーザがユーザIDとパスワードをセットして、システムにログインする。プリントサービスサーバに当該ユーザが登録されていれば、S1303で印刷文書をサーバにアップロードする。
【００８３】
S1304では、印刷依頼する店舗を選択する。
【００８４】
S1305では、当該店舗で印刷可能な能力を取得し、その設定メニューが表示される。
【００８５】
S1306では、そのメニューに従い印刷の設定を行なう。
【００８６】
S1307では、印刷設定した内容をサーバに送信する。印刷設定に従った料金を、サーバで計算しS1308でその料金がユーザ端末に表示される。
【００８７】
S1309では、印刷条件をユーザが了解した結果ジョブの投入を行なう。
【００８８】
図１１は、印刷処理の手順を示すフローで、特にユーザ端末の印刷設定の手順を更に細かく説明したものである。
【００８９】
印刷の能力には、その設定が優先順位つけされている。例えば、図９のテーブル上位行のデバイス能力が、優先順位が高いと仮定すれば、優先順位の高い設定値に下位の能力は影響される。
【００９０】
S1401では、出力用紙サイズの設定値を決めたときに、S1402でその設定値に影響を受ける項目が選択可能かを再チェックする。
【００９１】
S1403では、例えば、出力用紙サイズをA4に設定すれば、デバイスAではサポートできないので、デバイスAの設定項目は選択不可能になる。従って、印刷設定項目からデバイスAのみの設定項目が除外される。この処理をS1404で行なう。
【００９２】
S1405では、次に優先順位の高い用紙の向きの設定を行なう。この設定の後、上記と同様に対応可能なデバイスを計算し、対応不可能なデバイス能力を設定不可能にする。この操作をページレイアウト以下優先順位の順に行なうことで、店舗のプリント装置のいずれかのデバイスに合致するような印刷設定を作成することが可能となる。
【００９３】
図１２は、サーバ側の印刷処理手順を示すフローで、特にデバイスのディスカバリを示す手順を示すフローである。
【００９４】
S1501で、ユーザ端末から印刷体裁設定データを受信した後、S1502で、店舗情報管理装置４５６に保存されている情報とマッチングして、当該設定で印刷可能なプリント装置を検出する。この結果検出できたデバイス名のすべてをジョブチケットにセットする。またこの手順で、ディスカバリ基準をあらかじめ設定していれば、その手順に従ってデバイスを決定する。例えば、その基準がデバイス能力の最小値を抽出すると仮定すれば、印刷体裁設定を満たすデバイスで、デバイス能力が最小の集合になるデバイス名をジョブチケットにセットする。
【００９５】
図１３は、店舗側の印刷処理手順を示すフローで、特にプリント装置に分配するディストリビュータの処理を示すフローである。
【００９６】
S1601で、サーバからジョブを受け付けた後、S1602で当該ジョブチケットにセットされているデバイス名を抽出する。これらのデバイスでユーザが設定した印刷設定どおりのプリントを実行することは可能である。
【００９７】
S1603では、ディストリビュート基準に従って、プリント装置を決定する。例えば、店舗側で、前記のように最小能力のプリンタに優先順位をつけて印刷する基準を設けていれば、そのプリント装置にジョブが分配される。また基準が、プリント装置のロードバランスを考慮するように設定されていれば、現在、負荷の最も少ないプリント装置にジョブが投入される。また、ランニングコストの最も低いプリント装置を優先するように設定されていれば、維持費の低いプリント装置にジョブが投入される。
【００９８】
S1605では、オペレータ処理工程にまわすべき項目がジョブチケットに登録されていれば、オペレータ処理工程の項目を表示する。例えば、デバイスから出力された印刷物をくるみ製本するとか、３２穴パンチを施すとか。
【００９９】
S1606では、これらの印刷指示書を見て印刷物にオペレータ処理を行い、ユーザ端末で指示された印刷体裁設定が完成する。
【図面の簡単な説明】
【０１００】
【図１】プリントサービスシステム構成図（その１）。
【図２】プリントサービスシステム構成図（その２）。
【図３】プリントサービスサーバブロック図。
【図４】プリントサービス店舗システムブロック図。
【図５】店舗デバイス登録シーケンスの例。
【図６】プリントサービスシーケンスの例。
【図７】店舗デバイス能力登録フロー（店舗側）。
【図８】店舗デバイス能力登録フロー（サーバ側）。
【図９】デバイス情報と店舗デバイス能力の例。
【図１０】印刷処理フロー（クライアント側）。
【図１１】印刷処理フロー・印刷体裁設定（クライアント側）。
【図１２】印刷フロー・デバイスディスカバリ（サーバ側）。
【図１３】印刷処理フロー・ディストリビュータ（店舗側）。
【図１】
2005173687.tif 000003
【図２】
2005173687.tif 000004
【図３】
2005173687.tif 000005
【図４】
2005173687.tif 000006
【図５】
2005173687.tif 000007
【図６】
2005173687.tif 000008
【図７】
2005173687.tif 000009
【図８】
2005173687.tif 000010
【図９】
2005173687.tif 000011
【図１０】
2005173687.tif 000012
【図１１】
2005173687.tif 000013
【図１２】
2005173687.tif 000014
【図１３】
2005173687.tif 000015